(57)【特許請求の範囲】
【請求項１】
ウエストバンド部からパンティー部を経てレッグ部へ編み立てる下半身用衣類の製造方法であって、
前記ウエストバンド部の編成に先立ち、温水に可溶な合成樹脂から構成される糸で編んだ地組織に対してそれ自体で編目を編成しないインレイ糸を挿入した可溶編み組織を編成するステップと、
前記可溶編み組織に連続して編成された、温水に不溶な合成樹脂から構成される糸で編んだ地組織に対してそれ自体で編目を編成しないインレイ弾性糸を挿入した前記ウエストバンド部を構成する不溶編み組織を編成するステップと、
前記不溶編み組織に連続して、前記パンティー部および前記レッグ部を構成する編み組織を編成するステップと、
前記可溶編み組織を温水で溶解するステップとを含む、下半身用衣類の製造方法。
【請求項２】
前記可溶編み組織の編成に先立ち、前記可溶編み組織が温水で溶解された後に前記下半身用衣類の構成から排除される準備編み組織を編成するステップをさらに含む、請求項１に記載の下半身用衣類の製造方法。
【請求項３】
前記可溶編み組織におけるインレイ糸および前記不溶編み組織におけるインレイ弾性糸は、前記地組織の編目のループに絡ませてかつ前記地組織の編目のつながり部に沿う方向と平行に編み込んでこれらループ間に挿入するタックインにより編成される、請求項１または請求項２に記載の下半身用衣類の製造方法。
【請求項４】
前記ウエストバンド部から前記パンティー部を経て前記レッグ部へ筒状に編み立てた１対の編地のパンティーに相当する部分に切れ目を入れて裁断縁どうしをつき合わせて股部を縫着して一体化した後に、温水に浸漬し前記可溶編み組織を温水で溶解する、請求項１〜請求項３のいずれかに記載の下半身用衣類の製造方法。
【請求項５】
前記温水に可溶な合成樹脂から構成される糸は、ＰＶＡ糸であって、
前記インレイ弾性糸は、ウレタン系弾性糸の芯糸に非弾性糸の捲糸を巻着させたカバリング糸である、請求項１〜請求項４のいずれかに記載の下半身用衣類の製造方法。
【請求項６】
前記インレイ糸は、ウレタン系弾性糸の芯糸に非弾性糸の捲糸を巻着させたカバリング糸である、請求項５に記載の下半身用衣類の製造方法。
【発明の詳細な説明】
【技術分野】
【０００１】
本発明は、パンティー部を備えたタイツ（以下において単にタイツと記載する場合がある）またはパンティーストッキングに代表される下半身用衣類に関し、特に、好適なずり下がり防止機能を備えつつ脱いだ後にウエストバンドの跡形が皮膚に付きにくい下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。太さの異なる２種類の糸を使用するため横縞模様が表れ、比較的光沢が多い。
ゾッキ（ゾッキ編み）は、一般的には、サポート糸（ポリウレタン糸にナイロン糸を巻き付けたカバリング糸）だけで編成されているものが多い。良好なフィット性を求めるときに好適である。また、ゾッキ編みのストッキングは、いわゆる伝線（使用中に編み組織の一部に引掛傷ができ糸が切れると生成される編組織が解編されたはしご状の線）が発生しにくいという特徴を備え、横縞模様が表れないで、比較的光沢が少ない。
【０００４】
このようなタイツおよびパンティーストッキングにおいて、伸縮糸の編成によってレッグ（ストッキング）部分とパンティー部分（ウエストバンドを含む）とが一体的に編成されるタイツおよびパンティーストッキングは、そのパンティー部の存在により着用安定性、フイット性に優れ、また保温性を有するなどの利点があるため多用されている。そして、着用時に臍上部または臍近傍に位置するウエストバンド部により、着用時のパンティー部のずり下がりを防止するようにしている。
【０００５】
このようなパンティーストッキングとして、特開平１１−０６１５０７号公報（特許文献１）は、着用安定性を向上することができるほか、腹部やヒップ部分の整容性を向上するとともに着用者の体形に適応し、動きに応じた高度の着用感を有することができるパンティーストッキングを開示する。
この特許文献１に開示されたパンティーストッキングは、ストッキング部とパンティー部とを一体的に編成したパンティーストッキングであって、パンティー部を履き口部分において強い締め付け力を備えたウエストバンド部と、その下方で全周を覆い充分な締め付け力を備えたずり下がり補強部と、その下方で腹部に位置し充分な締め付け力を備えた腹部締め付け部と、その後方でヒップ部に位置し締め付け力の少ないヒップ覆い部と、腹部締め付け部とヒップ覆い部の下方に位置し全周を覆い腹部締め付け部より強い締め付け力を有し保形力を備えたヒップアップ部と、その下方において全周を覆い腹部締め付け部と同程度の締め付け力を有するガーターライン部とからなるようにしたものである。
【０００６】
このパンティーストッキングによると、履き口部におけるウエストバンド部の強い締め付け力によってパンティーストッキングのずり落ち防止作用を生じ、その下方のずり下がり補強部において、ウエスト部を充分な締め付け力で全体から包むようにして締め付け、ずり下がりの補強作用を生じるので、たとえばしゃがんだときまたは腰掛けたとき等、腰を曲げたときのずり下がり防止作用が向上する。
【先行技術文献】
【特許文献】
【０００７】
【特許文献１】特開平１１−０６１５０７号公報
【発明の概要】
【発明が解決しようとする課題】
【０００８】
しかしながら、特許文献１に開示されたストッキングによると、パンティーストッキングのずり落ち防止作用を生じさせているのは、履き口部におけるウエストバンド部の強い締め付け力（さらにはずり下がり補強部および腹部締め付け部の充分な締め付け力）であるために、脱いだ後にウエストバンドの跡形が皮膚にくっきりと付いてしまう可能性が高い。また、パンティー部をウエストバンド部を含めて６領域に分割して糸仕様および編設計を異ならせているので糸仕様および編設計の切替による段差があることも、ウエストバンド部の強い締め付け力、ならびに、ずり下がり補強部および腹部締め付け部の充分な締め付け力と相俟って、パンティーストッキングを脱いだ後に跡形が皮膚に付きやすくしている要因であると考えられる。
【０００９】
本発明は、従来技術の上述の問題点に鑑みて開発されたものであり、その目的とするところは、パンティー部を備えたタイツまたはパンティーストッキングに代表される下半身用衣類であって、好適なずり下がり防止機能を備えつつ脱いだ後にウエストバンドの跡形が皮膚に付きにくい下半身用衣類の製造方法を提供することである。
【課題を解決するための手段】
【００１０】
上記目的を達成するため、本発明は以下の技術的手段を講じている。
すなわち、本発明のある局面に係る下半身用衣類は、ウエストバンド部からパンティー部を経てレッグ部へ編み立てた下半身用衣類であって、前記ウエストバンド部の編成に先立ち編成された、温水に可溶な合成樹脂から構成される糸で編んだ地組織に対してそれ自体で編目を編成しないインレイ糸を挿入した可溶編み組織と、前記可溶編み組織に連続して編成された、温水に不溶な合成樹脂から構成される糸で編んだ地組織に対してそれ自体で編目を編成しないインレイ弾性糸を挿入した前記ウエストバンド部を構成する不溶編み組織と、前記不溶編み組織に連続して編成された、前記パンティー部および前記レッグ部を構成する編み組織とを含み、前記可溶編み組織が温水で溶解されたことを特徴とする。
【００１１】
好ましくは、前記可溶編み組織の編成に先立ち編成され、前記可溶編み組織が温水で溶解された後に前記下半身用衣類の構成から排除される準備編み組織をさらに含むように構成することができる。
さらに好ましくは、前記可溶編み組織におけるインレイ糸および前記不溶編み組織におけるインレイ弾性糸は、前記地組織の編目のループに絡ませてかつ前記地組織の編目のつながり部に沿う方向と平行に編み込んでこれらループ間に挿入するタックインにより編成されるように構成することができる。
【００１２】
さらに好ましくは、前記ウエストバンド部から前記パンティー部を経て前記レッグ部へ筒状に編み立てた１対の編地のパンティーに相当する部分に切れ目を入れて裁断縁どうしをつき合わせて股部を縫着して一体化した後に、温水に浸漬し前記可溶編み組織が温水で溶解されたように構成することができる。
さらに好ましくは、前記温水に可溶な合成樹脂から構成される糸は、ＰＶＡ糸であって、前記インレイ弾性糸は、ウレタン系弾性糸の芯糸に非弾性糸の捲糸を巻着させたカバリング糸であるように構成することができる。
【００１３】
さらに好ましくは、前記インレイ糸は、ウレタン系弾性糸の芯糸に非弾性糸の捲糸を巻着させたカバリング糸であるように構成することができる。
また、本発明の別の局面に係る製造方法は、上述したいずれかの下半身用衣類を製造する方法である。
【発明の効果】
【００１４】
本発明によれば、パンティー部を備えたタイツまたはパンティーストッキングに代表される下半身用衣類であって、好適なずり下がり防止機能を備えつつ脱いだ後にウエストバンドの跡形が皮膚に付きにくい下半身用衣類の製造方法を提供することができる。
【図面の簡単な説明】
【００１５】
【図１】本発明の実施の形態に係るカットオフウエストタイツの概略正面図およびウエストバンド部の拡大図である。
【図２】図１のカットオフウエストタイツの編成時の概略正面図である。
【図３】図２の編み組織の一部を示す図面代用写真である。
【図４】図３の編み組織の構成を模式的に示す図である。
【発明を実施するための形態】
【００１６】
以下、本発明の実施の形態であるカットオフウエストタイツ１（以下において単にタイツ１と記載する場合がある）およびその製造方法を、図面に基づき詳しく説明する。なお、本発明は、このタイツ１のウエストバンド部４に好適に適用される。
［構成］
図１に、本実施の形態に係るタイツ１の概略正面図およびウエストバンド部４の拡大図を示す。このタイツ１は、ウエストバンド部４と、腹部および臀部を被覆するパンティー部３と、脚を被覆するレッグ部２とを備えるものである。このタイツ１は、筒状に編成された１対の編地を用い、パンティー部３に相当する部分に切れ目を入れて裁断縁どうしをつき合わせて股部５を縫着して一体化することにより製造される。また、レッグ部２の爪先部は周知の手段により、袋状に縫着することにより製造される。このような縫着工程を含む製造方法の詳細については後述する。
【００１７】
このタイツ１は、図１および図２に示すように、ウエストバンド部４からパンティー部３を経てレッグ部２へ編み立てた下半身用衣類の一例であって、ウエストバンド部４の編成に先立ち編成された、温水に可溶な合成樹脂から構成される糸（たとえば図３および図４に示すＰＶＡ（ＰｏｌｙＶｉｎｙｌ  Ａｌｃｏｈｏｌ：ポリビニルアルコール）糸２２）で編んだ地組織に対してそれ自体で編目を編成しないインレイ糸２４を挿入した可溶編み組織２０と、可溶編み組織２０に連続して編成された、温水に不溶な合成樹脂から構成される糸（たとえば図３および図４に示すウーリーナイロン糸３２）で編んだ地組織に対してそれ自体で編目を編成しないインレイ弾性糸３４を挿入したウエストバンド部４を構成する不溶編み組織３０と、不溶編み組織３０に連続して編成された、パンティー部３およびレッグ部２を構成する編み組織４０とで筒状に編成された１対の編地のパンティー部３に相当する部分に切れ目を入れて裁断縁どうしをつき合わせて股部５を縫着して一体化した後に、可溶編み組織２０が温水で溶解されて、図１に示すタイツ１が完成する。
【００１８】
ここで、図２に示すように、可溶編み組織２０の編成に先立ち編成され、可溶編み組織２０が温水で溶解された後にタイツ１の構成から排除される準備編み組織１０をさらに含むようにしても構わない。
このような特徴を備えたタイツ１において、インレイ糸については、詳しくは、以下のようにして編成される。図３および図４に示すように、可溶編み組織２０におけるインレイ糸２４および不溶編み組織３０におけるインレイ弾性糸３４は、地組織の編目のループに絡ませてかつ地組織の編目のつながり部に沿う方向と平行に編み込んでこれらループ間に挿入するタックイン（クロスインレイ）により編成される。
【００１９】
より詳しくは、不溶編み組織３０においては、温水に不溶な合成樹脂から構成される糸の一例であるウーリーナイロン糸３２により地組織の編目のループが編成され、インレイ弾性糸３４としてウレタン系弾性糸の芯糸に非弾性糸の捲糸を巻着させたカバリング糸（たとえば、シングルカバリング糸（ＳＣＹ：ｓｉｎｇｌｅ  Ｃｏｖｅｒｅｄ  Ｙａｒｎ）やダブルカバリング糸（ＤＣＹ：Ｄｏｕｂｌｅ  Ｃｏｖｅｒｅｄ  Ｙａｒｎ）が採用されて、不溶編み組織３０におけるインレイ弾性糸３４は、図３および図４に示すように、地組織の編目のループに絡ませてかつ地組織の編目のつながり部に沿う方向と平行に編み込んでこれらループ間に挿入するタックインにより編成されている。
【００２０】
そして、可溶編み組織２０においては、温水に可溶な合成樹脂から構成される糸の一例であるＰＶＡ糸２２により地組織の編目のループが編成され、インレイ糸２４として弾性を備えない糸（たとえばナイロン糸）またはＳＣＹやＤＣＹのように弾性を備える糸が採用されて、可溶編み組織２０におけるインレイ糸２４は、図３および図４に示すように、地組織の編目のループに絡ませてかつ地組織の編目のつながり部に沿う方向と平行に編み込んでこれらループ間に挿入するタックインにより編成されている。
【００２１】
本実施の形態に係るタイツ１においては、詳しくは後述するように、インレイ糸２４は、インレイ弾性糸３４と同じ弾性糸（ＤＣＹ）を採用している。
［製造方法］
以下において、本実施の形態に係るタイツ１の製造方法を、編み糸を具体的に示して説明する。
【００２２】
＜第１工程：編み立て＞
以下に示す（１）〜（４）に向かって編み立てて、図２に示す筒状の編地を編成する。なお、編み糸および編み組織は、一例でしかない（特に準備編み組織１０および編み組織４０）。
（１）４口にウーリーナイロン糸（５６デシテックス）を供給してプレーン編みで準備編み組織１０を編成する。
【００２３】
（２）２口にＰＶＡ糸２２（５６デシテックス）および１口にＤＣＹ（芯糸：ポリウレタン弾性糸（１５６デシテックス）、捲糸：ナイロン糸（４４デシテックス／６８フィラメント））を供給して、ＰＶＡ糸２２でプレーン編みしてインレイ糸２４として採用されたＤＣＹをタックインして可溶編み組織２０を編成する。なお、ＰＶＡ糸２２として、ソルブロン（株式会社ニチビの登録商標）が挙げられる。
【００２４】
（３）２口にウーリーナイロン糸３２（５６デシテックス）および１口にＤＣＹ（芯糸：ポリウレタン弾性糸（１５６デシテックス）、捲糸：ナイロン糸（４４デシテックス／６８フィラメント））を供給して、ウーリーナイロン糸３２でプレーン編みしてインレイ弾性糸３４として採用されたＤＣＹをタックインして不溶編み組織３０を編成する。この不溶編み組織３０がウエストバンド部４を構成する。限定されるものではないが、このように、インレイ糸２４は、インレイ弾性糸３４と同じ弾性糸（ＤＣＹ）を採用している。
【００２５】
（４）４口にＳＣＹ（芯糸：ポリウレタン弾性糸（３３デシテックス）、捲糸：ナイロン糸（５６デシテックス／６８フィラメント））を供給してプレーン編みで編み組織４０を編成する。この編み組織４０がゾッキタイプのパンティー部３およびレッグ部２を構成する。
＜第２工程：股部縫着＞
上述した第１工程で編成された、図２に示す筒状の編地（編み立て順に準備編み組織１０、可溶編み組織２０、不溶編み組織３０、編み組織４０）を１対（２本）準備して、それらの編地のパンティー部３に相当する部分に切れ目を入れて裁断縁どうしをつき合わせて股部５を縫着糸（少なくともＰＶＡ糸２２のように温水に可溶な糸ではない）で縫着して一体化する。なお、レッグ部２の爪先部は周知の手段により、袋状に縫着されているものとする。
【００２６】
＜第３工程：染色工程＞
上述した第２工程で股部縫着されることにより１対（２本）の筒状の編地が股部で一体化された編地を、所望の温度の染色液に浸漬することにより染色する。これにより、可溶編み組織２０のＰＶＡ糸２２が溶解して可溶編み組織２０が消失する。なお、染色の必要がない場合には、上述した第２工程で股部縫着されることにより股部で一体化された編地を、所望の温度の温水に浸漬する。
【００２７】
＜第４工程：廃棄工程＞
上述した第３工程で可溶編み組織２０が消失した編地は、上述した第２工程で股部を縫着した糸により準備編み組織１０が不溶編み組織３０（および編み組織４０）と繋がっている状態である。このため、準備編み組織１０が不溶編み組織３０および編み組織４０と繋げている縫着糸を切断して、準備編み組織１０を廃棄する。これにより、図１に示すタイツ１が完成する。
［作用効果］
本実施の形態に係るタイツ１（カットオフウエストタイツ１）の作用効果について以下に説明する。
【００２８】
（Ａ）このタイツ１におけるウエストバンド部４の上端は、上述した第３工程において可溶編み組織２０が消失したため、はさみで切断したような（カットオフしたような）エ
ッジ部４２（図１の拡大図参照）を備え、従来のように袋編みによりウエストバンド部４が編成されておらず、究極に薄いウエストバンド部４を編成することができる。その結果、インレイ弾性糸３４であるＤＣＹにより好適なずり下がり防止機能を備えつつ、薄手であるので脱いだ後にウエストバンドの跡形が皮膚に付きにくいタイツ１を提供することができる。
【００２９】
（Ｂ）上述した製造方法において、可溶編み組織２０（加えて準備編み組織１０）はタイツ１を構成しないので、不要とも考えられる。しかしながら、少なくとも可溶編み組織２０が存在しない場合、すなわち、ウーリーナイロン糸３２でプレーン編みしてインレイ弾性糸３４として採用されたＤＣＹをタックインして不溶編み組織３０から編成する場合には、この不溶編み組織３０の編み始めの編み糸のテンションが緩いために編成された編目がバラついてしまい綺麗にカットオフすることができないので、上述した（Ａ）で記載したようなエッジ部４２を編成することが難しい。
【００３０】
（Ｃ）特に、上述したように、インレイ糸２４はインレイ弾性糸３４と同じ糸（ＤＣＹ）を採用することにより、テンションが変化しないので、より一層編目をバラつかなくすることができて好ましい。
（Ｄ）さらに、不溶編み組織３０における表ループ（図４に示す面）を身体側にすると身体側にカールする傾向があるために、ウエストバンド部４が身体反対側へカールすることを防止できてウエストバンド部４が身体に沿うので好ましい。なお、本発明においては、不溶編み組織３０における裏ループ（図４に示す面とは反対面）を身体側にすることを除外するものではない。
【００３１】
以上のようにして、好適なずり下がり防止機能を備えつつ脱いだ後にウエストバンドの跡形が皮膚に付きにくいタイツを実現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
本発明は、パンティー部を備えたタイツまたはパンティーストッキングに代表される下半身用衣類に好適であり、好適なずり下がり防止機能を備えつつ脱いだ後にウエストバンドの跡形が皮膚に付きにくい下半身用衣類に特に好適である。
【符号の説明】
【００３３】
１  タイツ（カットオフウエストタイツ）
２  レッグ部
３  パンティー部
４  ウエストバンド部
５  股部
１０  準備編み組織
２０  可溶編み組織組織
２２  ＰＶＡ糸
２４  インレイ糸（ＤＣＹ）
３０  不溶編み組織
３２  ウーリーナイロン糸
３４  インレイ弾性糸（ＤＣＹ）
４０  編み組織
４２  エッジ部
【図１】
0006701490.tif 000002
【図２】
0006701490.tif 000003
【図３】
0006701490.tif 000004
【図４】
0006701490.tif 000005